(57)【要約】【課題】  簡単な操作により、複数ウィンドウからなる非矩形領域の画像、他のウィンドウにより隠されている部分の画像を含めたウィンドウ画像を他のアプリケーションに容易に取り込み可能にすること。【解決手段】  表示装置の複数のウィンドウ画面のうち画像の取り込み対象とするウィンドウの指定操作を受付ける第１のステップと、指定されたウィンドウの重なり順を取得する第２のステップと、表示されている全てのウィンドウを一時的に非表示にする第３のステップと、前記第１のステップで指定された取り込み対象の画像が存在する最大包含矩形を求める第４のステップと、取り込み結果となる画像を保持する出力領域をクリアする第５のステップと、前記第４のステップで求めた最大包含矩形内に存在する取り込み対象の画像を前記出力領域に取り込む第６のステップと、前記第３のステップで一時的に非表示にしたウィンドウの表示を回復する第７のステップとを備える。【選択図】    図６
2006053864.tif 000002
【特許請求の範囲】
【請求項１】
マルチウィンドウ機能を有するコンピュータにおいてウィンドウ画面に表示された画像を取り込んで出力するウィンドウ画像の取り込み方法であって、
表示装置の複数のウィンドウ画面のうち画像の取り込み対象とするウィンドウまたはアプリケーションの指定操作を受付ける第１のステップと、
指定されたウィンドウまたはアプリケーションによるウィンドウの重なり順を取得する第２のステップと、
前記表示装置に表示されている全てのウィンドウを一時的に非表示にする第３のステップと、
前記第１のステップで指定された取り込み対象の画像が存在する最大包含矩形を求める第４のステップと、
取り込み結果となる画像を保持する出力領域をクリアする第５のステップと、
前記第４のステップで求めた最大包含矩形内に存在する取り込み対象の画像を前記出力領域に取り込む第６のステップと、
前記第３のステップで一時的に非表示にしたウィンドウの表示を回復する第７のステップとを備えることを特徴とするウィンドウ画像取り込み方法。
【請求項２】
前記第１のステップは、画像の取り込み対象をウィンドウ単位にするかアプリケーション単位にするかの指定、および取り込み画像をウィンドウ単位の画像とするか全体で１つの画像とするかの指定を受付けるステップを備えることを特徴とする請求項１に記載のウィンドウ画像の取り込み方法。
【請求項３】
マルチウィンドウ機能を有するコンピュータにおいてウィンドウ画面に表示された画像を取り込んで出力するウィンドウ画像の取り込みプログラムであって、
表示装置の複数のウィンドウ画面のうち画像の取り込み対象とするウィンドウまたはアプリケーションの指定操作を受付ける第１のステップと、
指定されたウィンドウまたはアプリケーションによるウィンドウの重なり順を取得する第２のステップと、
前記表示装置に表示されている全てのウィンドウを一時的に非表示にする第３のステップと、
前記第１のステップで指定された取り込み対象の画像が存在する最大包含矩形を求める第４のステップと、
取り込み結果となる画像を保持する出力領域をクリアする第５のステップと、
前記第４のステップで求めた最大包含矩形内に存在する取り込み対象の画像を前記出力領域に取り込む第６のステップと、
前記第３のステップで一時的に非表示にしたウィンドウの表示を回復する第７のステップとを備えることを特徴とするウィンドウ画像の取り込みプログラム。
【発明の詳細な説明】
【技術分野】
【０００１】
本発明は、マルチウィンドウタイプのオペレーティングシステムを採用したコンピュータの画面に表示されるウィンドウの画像を、ワードプロセッサ等に画像データとして取り込む処理方法およびプログラムに関する。
【背景技術】
【０００２】
パーソナルコンピュータ用のオペレーティングシステム（ＯＳ）として、ＧＵＩ(Graphical User Interface)にて簡単に操作が可能となるマルチウィンドウタイプのＯＳが広く普及している。それにより、様々な文書作成にパーソナルコンピュータが活用されるようになっている。
例えば、コンピュータの操作説明書やソフトウェアの操作説明書を作成する場合に、画面に表示されているウィンドウ画像を文書に取り込んで補足説明を加えることで、分かりやすい説明書を作成することができる。
マイクロソフト社製Microsoft Windows（Windowsはマイクロソフト社の登録商標）の場合、キーボード操作により、画面全体、または、アクティブなウィンドウの画像をクリップボードに取り込むことができ、ワードプロセッサ等の文書作成ソフトウェアにより編集中の画面にクリップボードから画像を貼り付けることができる。その他には、マウス装置等により画面上の矩形領域を指定することで、その範囲の画像データをクリップボードに取り込むことができるユーティリティソフトウェアも存在する。
【０００３】
しかしながら、上記の方法では次のような問題がある。
（１）単一の矩形領域を１つの画像として取り込むことしかできない。
（２）表示上他のウィンドウによって隠されている部分の画像データを取り込むことはできず、また、矩形以外の形（例えば、円形）で表示されるウィンドウ画像データを取り込むことはできない。
すなわち、マルチウィンドウシステムにおいては、１つのアプリケーションで複数のウィンドウを表示する場合があり、それらのウィンドウが構成する領域が、矩形領域とならない場合がある。単一のウィンドウであっても、ウィンドウ領域の一部をクリッピングして矩形以外の形（例えば、円形）で表示されるウィンドウもある。さらに、常に最上位に表示されるウィンドウも存在し、画像データを取得したい対象のウィンドウが隠されてしまう場合がある。このような場合には、取り込む対象のウィンドウ以外に、背景として見えている部分や、対象となるウィンドウを隠している他のウィンドウの画像を含めて取り込まれてしまうと言う問題が発生する。
【発明の開示】
【発明が解決しようとする課題】
【０００４】
上記のような問題に対応するためには、下記の特許文献１，２に開示されているような方法を用いて、必要なウィンドウが最上位に表示されるような状態を作り出してから取り込みを行う、ウィンドウごとに複数回取り込みを行う、取り込んだ画像を画像編集ソフトウェアで編集してから、再度目的の文書に取り込みを行うなどの対処が必要となり、操作が面倒になるという問題が生じる。
特に、特許文献２に開示された方法においては、最上面の画面に裏面のウィンドウの内容を取り込んで表示しているので、最上面画の内容が見難く、裏面ウィンドウの見たままの状態を表示できないという問題がある。
【特許文献１】特開平５−６６９１０号公報
【特許文献２】特開平６−２６６５２７号公報
【０００５】
本発明の目的は、マウス等により希望のウィンドウまたはアプリケーションを指定するだけの操作により、複数ウィンドウからなる非矩形領域の画像、単一ウィンドウによる非矩形画像、他のウィンドウにより隠されている部分の画像を含めたウィンドウ画像をワードプロセッサ等の他のアプリケーションに容易に取り込むことができるウィンドウ画像取込方法を提供するにある。
【課題を解決するための手段】
【０００６】
上記目的を達成するために、本発明は、マルチウィンドウ機能を有するコンピュータにおいてウィンドウ画面に表示された画像を取り込んで出力するウィンドウ画像の取り込み方法であって、
表示装置の複数のウィンドウ画面のうち画像の取り込み対象とするウィンドウまたはアプリケーションの指定操作を受付ける第１のステップと、指定されたウィンドウまたはアプリケーションによるウィンドウの重なり順を取得する第２のステップと、前記表示装置に表示されている全てのウィンドウを一時的に非表示にする第３のステップと、前記第１のステップで指定された取り込み対象の画像が存在する最大包含矩形を求める第４のステップと、取り込み結果となる画像を保持する出力領域をクリアする第５のステップと、前記第４のステップで求めた最大包含矩形内に存在する取り込み対象の画像を前記出力領域に取り込む第６のステップと、前記第３のステップで一時的に非表示にしたウィンドウの表示を回復する第７のステップとを備えることを特徴とする。
また、前記第１のステップは、画像の取り込み対象をウィンドウ単位にするかアプリケーション単位にするかの指定、および取り込み画像をウィンドウ単位の画像とするか全体で１つの画像とするかの指定を受付けるステップを備えることを特徴とする。
【０００７】
本発明に係るウィンドウ画像の取り込みプログラムは、表示装置の複数のウィンドウ画面のうち画像の取り込み対象とするウィンドウまたはアプリケーションの指定操作を受付ける第１のステップと、指定されたウィンドウまたはアプリケーションによるウィンドウの重なり順を取得する第２のステップと、前記表示装置に表示されている全てのウィンドウを一時的に非表示にする第３のステップと、前記第１のステップで指定された取り込み対象の画像が存在する最大包含矩形を求める第４のステップと、取り込み結果となる画像を保持する出力領域をクリアする第５のステップと、前記第４のステップで求めた最大包含矩形内に存在する取り込み対象の画像を前記出力領域に取り込む第６のステップと、前記第３のステップで一時的に非表示にしたウィンドウの表示を回復する第７のステップとを備えることを特徴とする。
【発明の効果】
【０００８】
本発明のウィンドウ画像取り込み方法によれば、次のような効果が得られる。
（１）ユーザがマウスで１つのウィンドウを選択するだけで、そのウィンドウが属するアプリケーションが表示している複数のウィンドウの画像をウィンドウごとの複数の画像として、または１つの画像として自動的に取り込むことができる。
（２）取り込み対象のウィンドウが他のウィンドウによって隠されている場合であっても、対象のウィンドウ全体の画像を取り込むことができる。
（３）取り込む範囲が非矩形の場合、取り込み対象ウィンドウの背景として見えている対象外の部分を、自動的に取り除くことができる。従って、従来のようにユーザがウィンドウ操作や取り込み操作を繰返したり、取り込んだ画像の編集を行うことなく、簡単な操作でウィンドウ画像を取り込むことが可能となる。
【発明を実施するための最良の形態】
【０００９】
以下、本発明を実施する場合の一形態を図面を参照して具体的に説明する。
図１は、本発明を適用してウィンドウ画像の取り込みを行うコンピュータの外観構成図である。
図１において、コンピュータ１０には、本体１１、表示装置としてのディスプレイ１２、入力装置としてのキーボード１３、マウス１４が備えられている。図１はデスクトップ型の例であるが、コンピュータの形態は、デスクトップ型でもノート型でも良く、ポインティングデバイスとしては、マウス以外にタッチパッド、トラックボール、ペン等でも良い。
【００１０】
図２は、本発明が動作するマルチウィンドウタイプのオペレーティングシステム、例えばマイクロソフト社製のMicrosoft Windowsにおける一般的な表示画面の例を示す模式図である。
デスクトップ画面２１上には、オペレーティングシステム上で動作している各アプリケーションが表示する複数のウィンドウ２２が表示される。図２の例では、ウィンドウ１の上にウィンドウ２が重なった状態で表示されており、ウィンドウ１の一部はウィンドウ２により隠れた状態になっている。
【００１１】
図３は、本発明をワードプロセッサ等の文書編集ソフトウェアの機能として組み込んだ場合のブロック図である。本発明は、ワードプロセッサ等から図の挿入メニュー等の選択により呼び出され、デスクトップのウィンドウイメージを取り込み、画像データを渡す。
図４は、本発明を独立したユーティリティソフトウェアとして作成し、ワードプロセッサ等の文書編集ソフトウェアと連携する場合のブロック図である。
本発明は、単独で動作し、デスクトップのウィンドウイメージを取り込んで、クリップボードに格納する。ワードプロセッサ等の文書編集ソフトと連携する際には、貼り付けメニュー等によりクリップボードからの張り付けを行う。
本発明は、図３、図４に示すように、ウィンドウ画像をワードプロセッサ等の文書編集ソフトウェアに渡すコンピュータプログラムとして提供することができる。
【００１２】
図５は、本発明におけるウィンドウ画像の取り込み方法を設定する手順を表すフローチャートである。
本手順により、取り込み対象をアプリケーション単位にするかウィンドウ単位にするか、取り込み画像をウィンドウ単位の画像とするか全体で１つの画像とするかを設定、変更することができる。
本手順は、本発明を組み込んだ文書編集ソフトウェアのメニュー等から、または独立したユーティリティソフトとして作成した本発明のメニュー等から起動される。あるいは、取り込み動作を行うごとに起動される方法でも良い。それぞれの設定値についてはデフォルト値を持つこととし、取り込みの時点でいずれかの値が決定していることとする。
以下、ステップごとに説明する。
まず、本手順が起動されると、取り込み方法を指定する設定画面を表示する（ステップＳ５１）。ユーザは、表示された画面で取り込み対象の設定値および取り込み画像の構成の設定値を指定し、「設定」ボタンまたは「キャンセル」ボタンを押下する。
取り込み対象の設定値とは、取り込み対象をウィンドウ単位とするか、アプリケーション単位とするかを指定する設定値のことである。
取り込み画像の構成の設定値とは、取り込み対象画像を１画像単位とするか、ウィンドウ単位とするかを指定する設定値のことである。
次に、押下されたボタンの判定を行う（ステップＳ５２）。「設定」ボタンが押下された場合は、取り込み対象の設定値を記憶し（ステップＳ５３）、さらに取り込み画像の構成の設定値を記憶（ステップＳ５４）した後、設定画面を消去する（ステップＳ５５）。「キャンセル」ボタンを押下した場合は、設定値の記憶を行わずに設定画面を消去する（ステップＳ５５）。
【００１３】
図６〜図９は、本発明におけるマルチウィンドウシステムのウィンドウ画像取り込み方法の実施の形態を示すフローチャートである。
本手順により、マウス等により希望のウィンドウまたはアプリケーションを指定するだけで、複数ウィンドウからなる非矩形領域の画像、単一ウィンドウによる非矩形画像、他のウィンドウにより隠されている部分の画像を含めたウィンドウ画像を取り込み可能となる。
本手順が起動された場合、取り込み対象となるウィンドウを指定するためのマウス等の入力待ちを行い、クリックされた座標を取得する（ステップＳ６１）。
次に、取り込み対象がアプリケーションか、ウィンドウかの判定を行う（ステップＳ６２）。取り込み対象がアプリケーションの場合、ステップＳ６３からステップＳ７０までの処理を行う。
ステップＳ６３では、ステップＳ６１で取得したマウス座標から選択されたウィンドウを求め、さらにそのウィンドウが属するアプリケーションプロセスＩＤを取得する。
ステップＳ６４では、画面上で一番下に表示されているウィンドウを求め、以降一番上のウィンドウに至るまで辿りながら取り込み対象を特定する。
ステップＳ６５では、一番上のウィンドウまで辿り終わったかどうかの判定を行う。ステップＳ６６では、当該ウィンドウのハンドルを取り込み対象外として構造体配列に退避する。
ステップＳ６７では、ステップＳ６３で求めたアプリケーションプロセスＩＤを使用し、当該ウィンドウが取り込み対象かどうかを判定する。取り込み対象の場合は、ステップＳ６６で構造体配列に退避したウィンドウハンドルを取り込み対象に変更する。（ステップＳ６８）。
取り込み対象以外の場合は、何も行わない。ステップＳ６９では、当該ウィンドウを非表示化する。ステップＳ７０で当該ウィンドウの１つ上のウィンドウを求め、ステップＳ６５へ戻る。
【００１４】
一方、ステップＳ６２で取り込み対象がウィンドウと判定された場合は、ステップＳ７１からステップＳ７８までの処理を行う。
ステップＳ７１では、ステップＳ６１で取得したマウス座標から選択されたウィンドウのハンドルを求める。
ステップＳ７２はステップＳ６４と、ステップＳ７３はステップＳ６５と、ステップＳ７４はステップＳ６６と同じ処理である。
ステップＳ７５では、ステップＳ７１で求めたウィンドウハンドルを使用し、当該ウィンドウが取り込み対象かどうかを判定する。取り込み対象の場合は、ステップＳ７４で構造体配列に退避したウィンドウハンドルを取り込み対象に変更する（ステップＳ７６）。取り込み対象以外の場合は、何も行わない。ステップＳ７７はステップＳ６９と、ステップＳ７８はステップＳ７０と同じ処理である。
以上までの手順で、画面上のウィンドウは非表示となり、各ウィンドウのハンドルと取り込み対象か否かが構造体配列に退避される。
【００１５】
次に、ステップＳ７９で、取り込み結果の画像の構成をウィンドウごとにするか、１画像にするかを判定する。画像の構成がウィンドウごとの場合は、ステップＳ８０からステップＳ８６までの処理を行う。
ステップＳ８０では、退避した取り込み対象の先頭、つまり対象のうちで一番下のウィンドウを参照する。
ステップＳ８１では、取り込み対象を辿り終ったかどうかを判定する。
ステップＳ８２では、当該対象ウィンドウを表示する。他のウィンドウを非表示にし、下から順に取り込み対象ウィンドウを表示していることで、ウィンドウの全体が隠れることなく表示される。
ステップＳ８３では、当該ウィンドウをクリップする領域を求める。領域が存在しない場合は、ウィンドウの矩形領域全体が対象となる。
ステップＳ８４では、取り込み結果の画像全体をクリアする。この領域は、当該ウィンドウ全体の矩形領域と同じである。取り込み結果の画像全体とは、取り込み結果を保持してワープロソフトウェアなどの他のアプリケーションに渡す出力領域の画像のことである。ステップＳ８４は出力領域をクリアすることを意味する。
ステップＳ８５では、画面上のウィンドウ全体の矩形領域のうち、ステップＳ８３で求めた領域部分の画像イメージを取得する。ステップＳ８４で背景がクリアされていることで、非矩形に見えているウィンドウの場合でも、余分な背景部分は取り込まれない。ステップＳ８６では退避した取り込み対象の次のウィンドウを参照し、ステップＳ８１に戻る。
【００１６】
一方、ステップＳ７９で取り込み結果の画像の構成が１画像と判定された場合は、ステップＳ８７からステップＳ９４までの処理を行う。
ステップＳ８７では、退避した取り込み対象ウィンドウ全体の最大包含矩形領域を求めて取り込み結果の画像とし、ステップＳ８８でその領域をクリアする。
ステップＳ８９からステップＳ９２は、ステップＳ８０からステップＳ８３と同じ処理である。ステップＳ９３では、ステップＳ８７、Ｓ８８で作成、クリアした画像上に、ウィンドウ画像を取り込む。ステップＳ９４は、ステップＳ８６と同じ処理である。
取り込み対象の処理が全て終わったら、ステップＳ９５で非表示になっているウィンドウを表示する。最後に、ステップＳ９６で取り込んだ画像を出力データとして設定する。
【００１７】
図１０〜図１３は、デスクトップの表示イメージの具体的な例に対して、取り込み対象の指定方法と取り込み結果の画像の構成による動作例を表す動作説明図である。
図中の「ステップ」は図６〜図９で説明したステップに対応しており、ウィンドウ情報はステップＳ６３またはＳ７１で取得する取り込み対象を示す値、および、Ｓ６６、Ｓ６８、Ｓ７４、Ｓ７６でウィンドウのハンドルと取り込み対象か否かを退避する構造体配列である。
以下の例では、デスクトップ上のウィンドウ表示の初期状態は、ウィンドウ０、１、２の順に重なって表示されていることとする。また、ウィンドウ１が属するアプリケーションプロセスはウィンドウ１の上にウィンドウ２を表示していることとする。
図１０は、本発明において、取り込み対象をアプリケーション、取り込み結果の画像の構成をウィンドウ毎とした場合の動作説明図である。
ステップＳ６１で、マウスによりウィンドウ１が指定されたと仮定する。ステップＳ６２〜Ｓ６３でクリックされた際のマウスの座標からウィンドウ１を特定し、さらにアプリケーションのプロセスＩＤを取得する（図１０の１００１の状態）。
ステップＳ６４〜Ｓ７０では、ウィンドウを下から順に辿り、構造体配列にウィンドウのハンドルと対象か否かを退避するとともに、ウィンドウを非表示化する（図１０の１００２の状態）。
ステップＳ７９、Ｓ８０〜Ｓ８６では、先に退避した配列情報を参照し、取り込み対象の一番下のウィンドウを表示する（図１０の１００３の状態）。当該ウィンドウは他のウィンドウに隠されることなく表示され、その矩形全体を画像として取り込む。同様に上方向の取り込み対象ウィンドウを表示し（図１０の１００４の状態）、画像の取り込みを繰り返す。ステップＳ９５〜Ｓ９６では、非表示とした取り込み対象外のウィンドウを表示し（図１０の１００５の状態）、取り込まれた画像データを出力とする。
【００１８】
図１１は、本発明において、取り込み対象をアプリケーション、取り込み結果の画像の構成を１画像とした場合の動作説明図である。
図６のステップＳ６１で、マウスによりウィンドウ１が指定されたと仮定する（図１１の１１０１の状態）。ステップＳ６２〜Ｓ６３でクリックされた際のマウスの座標からウィンドウ１を特定し、さらにアプリケーションのプロセスＩＤを取得する。ステップＳ６４〜Ｓ７０では、ウィンドウを下から順に辿り、構造体配列にウィンドウのハンドルと対象か否かを退避するとともに、ウィンドウを非表示化する（図１１の１１０２の状態）。
ステップＳ７９、Ｓ８７〜Ｓ９４では、先に退避した配列情報を参照し、取り込み対象のウィンドウ全てを含む最大包含矩形を求め、その大きさの画像を作成して背景をクリアする。次に取り込み対象の一番下のウィンドウを表示する。当該ウィンドウは他のウィンドウに隠されることなく表示され、その矩形全体を先に作成した画像上に取り込む。同様に上方向の取り込み対象ウィンドウを表示し、画像の取り込みを繰り返す（図１１の１１０３，１１０４の状態）。
ステップＳ９５〜Ｓ９６では、非表示とした取り込み対象外のウィンドウを表示し（図１１の１１０５の状態）、取り込まれた画像データを出力とする。
【００１９】
図１２は、本発明において、取り込み対象をウィンドウ、取り込み結果の画像の構成をウィンドウ毎とした場合の動作説明図である。
ステップＳ６１で、マウスによりウィンドウ１が指定されたと仮定する。ステップＳ６２、Ｓ７１でクリックされた際のマウスの座標からウィンドウ１を特定し、そのウィンドウハンドルを取得する（図１２の１２０１の状態）。
ステップＳ７２〜Ｓ７８では、ウィンドウを下から順に辿り、構造体配列にウィンドウのハンドルと対象か否かを退避するとともに、ウィンドウを非表示化する（図１２の１２０２の状態）。
ステップＳ７９〜Ｓ８６では、先に退避した配列情報を参照し、取り込み対象のウィンドウを表示する（図１２の１２０３の状態）。当該ウィンドウは他のウィンドウに隠されることなく表示され、その矩形全体を画像として取り込む。
ステップＳ９５〜Ｓ９６では、非表示とした取り込み対象外のウィンドウを表示し（図１２の１２０４の状態）、取り込まれた画像データを出力とする。
【００２０】
図１３は、本発明において、取り込み対象をウィンドウ、取り込み結果の画像の構成を１画像とした場合で、取り込み対象のウィンドウが非矩形の場合の動作概要図である。
ステップＳ６１で、マウスによりウィンドウ１が指定されたと仮定する（図１３の１３０１の状態）。
ステップＳ６２〜Ｓ６３でクリックされた際のマウスの座標からウィンドウ１を特定し、そのウィンドウハンドルを取得する。ステップＳ６４〜Ｓ６９では、ウィンドウを下から順に辿り、構造体配列にウィンドウのハンドルと対象か否かを退避するとともに、ウィンドウを非表示化する（図１３の１３０２の状態）。
ステップＳ７９、Ｓ８７〜Ｓ９４では、先に退避した配列情報を参照し、取り込み対象のウィンドウを含む最大包含矩形を求め、その大きさの画像を作成して背景をクリアする。次に取り込み対象のウィンドウを表示する。当該ウィンドウは他のウィンドウに隠されることなく表示され（図１３の１３０３の状態）、その矩形全体を先に作成した画像上に取り込む。このとき、当該ウィンドウをクリップする領域を求め、その部分の画像のみに限定して取り込みを行う。
ステップＳ９５〜Ｓ９６では、非表示とした取り込み対象外のウィンドウを表示し（図１３の１３０４の状態）、取り込まれた画像データを出力とする。
【図面の簡単な説明】
【００２１】
【図１】本発明を適用して動作するコンピュータの外観構成図である。
【図２】本発明が動作するマルチウィンドウタイプのオペレーティングシステムにおける一般的な表示画面の模式図である。
【図３】本発明をワードプロセッサ等の文書編集ソフトウェアの機能として組み込んで構成する場合の機能ブロック図である。
【図４】本発明を独立したユーティリティソフトウェアとして作成し、ワードプロセッサ等の文書編集ソフトウェアと連携するように構成する場合の機能ブロック図である。
【図５】本発明におけるウィンドウ画像の取り込み方法を設定する手順を表すフローチャートである。
【図６】本発明におけるマルチウィンドウシステムのウィンドウ画像取り込み方法の実施の形態を示すフローチャートである。
【図７】図６の続きを示すフローチャートである。
【図８】図６及び図７の続きを示すフローチャートである。
【図９】図８の続きを示すフローチャートである。
【図１０】本発明において、取り込み対象をアプリケーション、取り込み結果の画像の構成をウィンドウ毎とした場合の動作説明図である。
【図１１】本発明において、取り込み対象をアプリケーション、取り込み結果の画像の構成を１画像とした場合の動作説明図である。
【図１２】本発明において、取り込み対象をウィンドウ、取り込み結果の画像の構成をウィンドウごととした場合の動作説明図である。
【図１３】本発明において、取り込み対象をウィンドウ、取り込み結果の画像の構成を１画像とした場合で、取り込み対象のウィンドウが非矩形の場合の動作説明図である。
【符号の説明】
【００２２】
１０…コンピュータ、１１…本体、１２…ディスプレイ、１３…キーボード、１４…マウス、２１…デスクトップ画面、２２…ウィンドウ。
【図１】
2006053864.tif 000003
【図２】
2006053864.tif 000004
【図３】
2006053864.tif 000005
【図４】
2006053864.tif 000006
【図５】
2006053864.tif 000007
【図６】
2006053864.tif 000008
【図７】
2006053864.tif 000009
【図８】
2006053864.tif 000010
【図９】
2006053864.tif 000011
【図１０】
2006053864.tif 000012
【図１１】
2006053864.tif 000013
【図１２】
2006053864.tif 000014
【図１３】
2006053864.tif 000015